(57)【要約】【課題】  クロック信号に同期してディジタルのデータ信号を転送する際に、クロック信号の位相を、簡単な構成で、かつ、短時間に調整可能とすること。【解決手段】  データ信号をシリアル転送するデータ転送線と、クロック信号を転送するクロック転送線と、クロック信号に同期したデータ信号の転送に対して、データ信号に付随するクロック信号の位相をずらす調整量を決定する決定部と、決定部により決定した調整量に応じて、クロック信号の周波数を固定したままで、クロック信号の位相をずらす位相調整部とを備える。【選択図】      図１
2009159252.tif 000002
【特許請求の範囲】
【請求項１】
クロック信号に同期してディジタルのデータ信号を転送するデータ転送装置であって、
前記データ信号をシリアル転送するデータ転送線と、
前記クロック信号を転送するクロック転送線と、
前記クロック信号に同期した前記データ信号の転送に対して、前記データ信号に付随する前記クロック信号の位相をずらす調整量を決定する決定部と、
前記決定部により決定した前記調整量に応じて、前記クロック信号の周波数を固定したままで、前記クロック信号の位相をずらす位相調整部と
を備えることを特徴とするデータ転送装置。
【請求項２】
クロック信号に同期してディジタルのデータ信号を送信する送信部と、前記クロック信号に同期して前記データ信号を受信する受信部とからなるデータ転送装置であって、
前記送信部から前記受信部へ前記データ信号をシリアル転送するデータ転送線と、
前記送信部から前記受信部へ前記クロック信号を転送するクロック転送線とを備え、
前記受信部は、
前記クロック信号に同期した前記データ信号の受信に対して、前記データ信号に付随する前記クロック信号の位相をずらす調整量を決定する決定部と、
前記決定部により決定した前記調整量に応じて、前記クロック信号の周波数を固定したままで、前記クロック信号の位相をずらす位相調整部とを備える
ことを特徴とするデータ転送装置。
【請求項３】
クロック信号に同期してディジタルのデータ信号を送信する送信部と、前記クロック信号に同期して前記データ信号を受信する受信部とからなるデータ転送装置であって、
前記送信部から前記受信部へ前記データ信号をシリアル転送するデータ転送線と、
前記送信部から前記受信部へ前記クロック信号を転送するクロック転送線とを備え、
前記送信部は、
前記クロック信号に同期した前記データ信号の送信に対して、前記データ信号に付随する前記クロック信号の位相をずらす調整量を決定する決定部と、
前記決定部により決定した前記調整量に応じて、前記クロック信号の周波数を固定したままで、前記クロック信号の位相をずらす位相調整部とを備える
ことを特徴とするデータ転送装置。
【請求項４】
クロック信号に同期してディジタルのデータ信号を送信する送信部と、前記クロック信号に同期して前記データ信号を受信する受信部とからなるデータ転送装置であって、
前記送信部から前記受信部へ前記データ信号をシリアル転送するデータ転送線と、
前記送信部から前記受信部へ前記クロック信号を転送するクロック転送線とを備え、
前記受信部は、
前記送信部による前記クロック信号に同期した前記データ信号の送信に対して、前記データ信号に付随する前記クロック信号の位相をずらす調整量を決定する決定部と、
前記決定部により決定した前記調整量を前記送信部に供給する供給部とを備え、
前記送信部は、
前記供給部により供給された前記調整量に応じて、前記クロック信号の周波数を固定したままで、前記クロック信号の位相をずらす位相調整部を備える
ことを特徴とするデータ転送装置。
【請求項５】
請求項１から請求項４の何れか１項に記載のデータ転送装置において、
前記決定部は、前記クロック信号の位相をずらしつつ、前記クロック信号に同期してテスト用のディジタルのデータ信号であるテスト信号を繰り返し転送し、転送された前記テスト信号と前記クロック信号とに基づいて、前記調整量を決定する
ことを特徴とするデータ転送装置。
【請求項６】
請求項５に記載のデータ転送装置において、
前記テスト信号は、前記クロック信号と同じ周期で交互に信号値が変化する２値の信号である
ことを特徴とするデータ転送装置。
【請求項７】
請求項５に記載のデータ転送装置において、
前記データ転送線を複数備え、
前記決定部は、前記クロック信号に同期して、複数の前記転送線のそれぞれに対して前記テスト信号を転送し、転送された複数の前記テスト信号の合成信号と前記クロック信号とに基づいて、前記調整量を決定する
ことを特徴とするデータ転送装置。
【請求項８】
請求項１から請求項７の何れか１項に記載のデータ転送装置と、
被写体像を撮像してディジタルの画像信号を生成する撮像部とを備え、
前記データ転送線は、前記画像信号を前記データ信号としてシリアル転送する
ことを特徴とする電子カメラ。
【請求項９】
請求項８に記載の電子カメラにおいて、
前記決定部は、前記画像信号をシリアル転送する直前に前記調整量を決定する
ことを特徴とする電子カメラ。
【発明の詳細な説明】
【技術分野】
【０００１】
本発明は、電子機器間または半導体素子間でのディジタルデータの高速転送に適したデータ転送装置およびその周辺技術に関する。
【背景技術】
【０００２】
従来より、ディジタルデータの転送の高速化が求められている。そして、より確実で安全な方式として、シリアル伝送方式のデータ転送が広く採用されている。このシリアル伝送方式においては、伝送のために基準となるクロック信号を、搬送波としてディジタルデータと同時に送ることにより、確実性を高めている。
【０００３】
ところが、一般に、クロック信号を用いると転送の確実性が高まる一方で、伝送路等の影響によりディジタルデータに対するクロック信号の位相がずれてしまう場合がある。このような問題に対応するためには、事前に情報を用いて伝送路の計算を行い搭載基板のＡ／Ｗに反映することが考えられるが、手間がかかるとともにコスト面の問題もある。そこで、クロック信号の位相を調整する技術が考えられている（例えば、特許文献１参照）。
【特許文献１】特開平１１−３１３５号公報
【発明の開示】
【発明が解決しようとする課題】
【０００４】
特許文献１の発明では、ディジタルデータとクロック信号との位相比較を行い、比較結果に基づいて、データ出力側とデータ入力側との双方に供給するクロック信号の位相を調整することにより、上述した問題に対応している。しかし、特許文献１の発明では、構成が複雑であるとともに、調整に時間を要する。
【０００５】
本発明は、クロック信号に同期してディジタルのデータ信号を転送する際に、クロック信号の位相を、簡単な構成で、かつ、短時間に調整可能とすることを目的とする。
【課題を解決するための手段】
【０００６】
本発明のデータ転送装置は、クロック信号に同期してディジタルのデータ信号を転送するデータ転送装置であって、前記データ信号をシリアル転送するデータ転送線と、前記クロック信号を転送するクロック転送線と、前記クロック信号に同期した前記データ信号の転送に対して、前記データ信号に付随する前記クロック信号の位相をずらす調整量を決定する決定部と、前記決定部により決定した前記調整量に応じて、前記クロック信号の周波数を固定したままで、前記クロック信号の位相をずらす位相調整部とを備える。
【０００７】
本発明の別のデータ転送装置は、クロック信号に同期してディジタルのデータ信号を送信する送信部と、前記クロック信号に同期して前記データ信号を受信する受信部とからなるデータ転送装置であって、前記送信部から前記受信部へ前記データ信号をシリアル転送するデータ転送線と、前記送信部から前記受信部へ前記クロック信号を転送するクロック転送線とを備え、前記受信部は、前記クロック信号に同期した前記データ信号の受信に対して、前記データ信号に付随する前記クロック信号の位相をずらす調整量を決定する決定部と、前記決定部により決定した前記調整量に応じて、前記クロック信号の周波数を固定したままで、前記クロック信号の位相をずらす位相調整部とを備える。
【０００８】
本発明の別のデータ転送装置は、クロック信号に同期してディジタルのデータ信号を送信する送信部と、前記クロック信号に同期して前記データ信号を受信する受信部とからなるデータ転送装置であって、前記送信部から前記受信部へ前記データ信号をシリアル転送するデータ転送線と、前記送信部から前記受信部へ前記クロック信号を転送するクロック転送線とを備え、前記送信部は、前記クロック信号に同期した前記データ信号の送信に対して、前記データ信号に付随する前記クロック信号の位相をずらす調整量を決定する決定部と、前記決定部により決定した前記調整量に応じて、前記クロック信号の周波数を固定したままで、前記クロック信号の位相をずらす位相調整部とを備える。
【０００９】
本発明の別のデータ転送装置は、クロック信号に同期してディジタルのデータ信号を送信する送信部と、前記クロック信号に同期して前記データ信号を受信する受信部とからなるデータ転送装置であって、前記送信部から前記受信部へ前記データ信号をシリアル転送するデータ転送線と、前記送信部から前記受信部へ前記クロック信号を転送するクロック転送線とを備え、前記受信部は、前記送信部による前記クロック信号に同期した前記データ信号の送信に対して、前記データ信号に付随する前記クロック信号の位相をずらす調整量を決定する決定部と、前記決定部により決定した前記調整量を前記送信部に供給する供給部とを備え、前記送信部は、前記供給部により供給された前記調整量に応じて、前記クロック信号の周波数を固定したままで、前記クロック信号の位相をずらす位相調整部を備える。
【００１０】
なお、好ましくは、前記決定部は、前記クロック信号の位相をずらしつつ、前記クロック信号に同期してテスト用のディジタルのデータ信号であるテスト信号を繰り返し転送し、転送された前記テスト信号と前記クロック信号とに基づいて、前記調整量を決定しても良い。
【００１１】
また、好ましくは、前記テスト信号は、前記クロック信号と同じ周期で交互に信号値が変化する２値の信号であっても良い。
【００１２】
また、好ましくは、前記データ転送線を複数備え、前記決定部は、前記クロック信号に同期して、複数の前記転送線のそれぞれに対して前記テスト信号を転送し、転送された複数の前記テスト信号の合成信号と前記クロック信号とに基づいて、前記調整量を決定しても良い。
【００１３】
本発明の電子カメラは、上述した何れかのデータ転送装置と、被写体像を撮像してディジタルの画像信号を生成する撮像部とを備え、前記データ転送線は、前記画像信号を前記データ信号としてシリアル転送する。
【００１４】
なお、好ましくは、前記決定部は、前記画像信号をシリアル転送する直前に前記調整量を決定しても良い。
【発明の効果】
【００１５】
本発明によれば、クロック信号に同期してディジタルのデータ信号を転送する際に、クロック信号の位相を、簡単な構成で、かつ、短時間に調整可能とすることができる。
【発明を実施するための最良の形態】
【００１６】
＜一の実施形態の説明＞
図１は、一の実施形態に係るデータ転送装置の構成例を示す模式図である。図１では、電子カメラの撮像素子１２を出力装置とし、電子カメラの信号処理回路１３を入力装置としたときの構成例を示している。
【００１７】
一の実施形態の撮像素子１２は、複数の受光素子が二次元配列された受光面を有しており、撮像光学系（不図示）によって受光面に結像した被写体像の画像信号を出力する。また、撮像素子１２はＡ／Ｄ変換回路（不図示）をオンチップで有しており、撮像素子１２の出力端子からはディジタルのデータ信号が出力される。
【００１８】
ここで、一の実施形態の撮像素子１２には、画像信号をシリアル転送する複数の信号線（詳細は後述する）の一端と、クロック信号を出力する信号線（ＣＬＫ）の一端とが接続されている。上記の各信号線の他端はそれぞれ信号処理回路１３に接続されており、撮像素子１２と信号処理回路１３とのデータ転送では、複数の信号線によって画像信号をシリアル方式で転送できる。なお、撮像素子１２は、複数の信号線に対して後述のテストデータを出力する機能も備える。
【００１９】
信号処理回路１３は、撮像素子１２から入力されたディジタルの画像信号に各種の画像処理を施すディジタルフロントエンド回路である。この信号処理回路１３は、通常の画像信号の取り込みを行う取込部１４および調整処理部１５と、画像処理部１６とを有している。なお、画像処理部１６は、ディジタルの画像信号に各種の画像処理（欠陥画素補正、色補間、階調補正、ホワイトバランス調整、エッジ強調など）を施すＡＳＩＣである。
【００２０】
撮像素子１２から信号処理回路１３に転送された画像信号およびクロック信号は、上述した取込部１４または調整処理部１５の何れかに選択的に入力される。この選択は、切り替え回路などにより実現するものとする。また、調整処理部１５は、取込部１４に対して後述する「クロック信号の位相のずらし量」を供給する。また、撮像素子１２および信号処理回路１３は、各部を統括的に制御する制御部１７により制御される。
【００２１】
次に、図２を参照して、撮像素子１２から信号処理回路１３に転送された画像信号およびクロック信号が、取込部１４に入力される場合について説明する。以下では、画像信号をシリアル転送する４本の信号線を備える場合を例に挙げて説明する。また、それぞれの信号線により転送される画像信号を、それぞれ「ＤＡＴＡ１」、「ＤＡＴＡ２」、「ＤＡＴＡ３」、「ＤＡＴＡ４」と称する。取込部１４は、図２に示すように、クロック信号の立ち上がりまたは立ち下がりのタイミングに同期して画像信号の示す値を取り込む取込回路１４ａを、４本の信号線のそれぞれについて備える。各取込回路１４ａの出力は、画像処理部１６に入力される。
【００２２】
また、取込部１４は、撮像素子１２から転送されたクロック信号の遅延量を制御する遅延ブロック１８を備える。遅延ブロック１８は、図３に示すように、Ｎ個の遅延部１８ａと、セレクタ１８ｂとを備える。そして、撮像素子１２から転送されたクロック信号が通過する遅延部１８ａの数を制御することにより、クロック信号の遅延量を制御する。このように、クロック信号の遅延量を制御することにより、クロック信号の位相をずらすことができる。遅延ブロック１８の出力は、４つの取込回路１４ａのそれぞれに入力される。
【００２３】
次に、図４を参照して、撮像素子１２から信号処理回路１３に転送された画像信号およびクロック信号が、調整処理部１５に入力される場合について説明する。調整処理部１５は、図４に示すように、複数の信号線により転送される画像信号（ＤＡＴＡ１〜４）のＯＲをとり、画像信号（ＤＡＴＡ１〜４）の合成信号であるＤＡＴＡＯＲを求める演算回路１５ａと、クロック信号の立ち上がりまたは立ち下がりのタイミングに同期してＤＡＴＡＯＲの示す値を取り込む取込回路１５ｂと、遅延ブロック制御部１５ｃと、上述した取込部で説明した遅延ブロック１８とを備える。遅延ブロック１８は、取込部１４と調整処理部１５とで兼用される。
【００２４】
図５を参照して、ＤＡＴＡＯＲについて説明する。図５に示すように、画像信号ＤＡＴＡ１〜４には、その信号線（伝送路）等の影響で位相差が発生する。したがって、画像信号ＤＡＴＡ１〜４の全体の状態を示すＤＡＴＡＯＲは、図５に示すようにデューティ比が５０％にならない場合が多い。
【００２５】
また、このＤＡＴＡＯＲに対して、クロック信号の位相も理想的な９０度からはずれている場合がある。すなわち、４本の信号線により転送される画像信号同士にもずれが発生するとともに、画像信号とクロック信号との間にもずれが発生する。
【００２６】
例えば、図６Ａに示すように、ＤＡＴＡＯＲがＨｉｇｈ状態のときにクロック信号の立ち上がりがくれば、このクロック信号の立ち上がりでラッチした信号であるＳＩＧＯＲは、常にＨｉｇｈ状態となる。一方、図６Ｂに示すように、ＤＡＴＡＯＲがＬｏｗ状態のときにクロック信号の立ち上がりがくれば、このクロック信号の立ち上がりでラッチした信号であるＳＩＧＯＲは常にＬｏｗ状態となる。すなわち、このＳＩＧＯＲの状態は、ＤＡＴＡＯＲとクロック信号との同期状態を表す。
【００２７】
したがって、ＳＩＧＯＲがＨｉｇｈ状態からＬｏｗ状態に変化する点、あるいは、ＳＩＧＯＲがＬｏｗ状態からＨｉｇｈ状態に変化する点は、不安定になるタイミングであり、このタイミングを避けてクロック信号の位相を調整すれば良い。
【００２８】
図７のフローチャートを用いて、クロック信号の位相の調整の詳細を説明する。
【００２９】
ステップＳ１において、制御部１７は、不図示の操作部を介して、ユーザにより撮影実行が指示されたか否かを判定する。そして、制御部１７は、撮影実行が指示されると、公知技術と同様に撮影動作の準備を開始し、ステップＳ２に進む。
【００３０】
ステップＳ２において、制御部１７は、テストモードを開始する。テストモードとは、クロック信号の位相の調整を行うためのモードである。制御部１７は、撮像素子１２および信号処理回路１３の両方にテストモードの開始を通知し、ステップＳ３に進む。信号処理回路１３は、テストモードの開始が通知されると、図４で説明したように、撮像素子１２から信号処理回路１３に転送された画像信号およびクロック信号が、調整処理部１５に入力されるように信号処理回路１３内を制御する。
【００３１】
ステップＳ３において、制御部１７は、初回のテストモードであるか否かを判定する。制御部１７は、初回のテストモードであると判定するとステップＳ４に進み、２回目以降のテストモードであると判定すると後述するステップＳ５に進む。
【００３２】
ステップＳ４において、制御部１７は、初期設定を行う。なお、２回目以降のテストモードである場合には、以前に設定されたクロック信号の位相が、現在の最適状態に近いものであると推定できるので、この初期設定は不要である。
【００３３】
ステップＳ５において、制御部１７は、撮像素子１２からを制御して、撮像素子１２から信号処理回路１３へのテストデータの転送を開始する。テストデータは、画像信号ＤＡＴＡ１〜４を統括した状態を認識しやすいように、データに「０」「１」が交互に出るように予め設定されたものである。この時点でのクロック信号の位相は、図８のＣＬＫ(１)の状態であるとして以降の説明を行う。
【００３４】
ステップＳ６において、制御部１７は、調整処理部１５を制御して、ＳＩＧＯＲを取り込む。そして、制御部１７は、ＤＡＴＡＯＲとクロック信号との同期状態を記憶する。例えば、ＳＩＧＯＲがＨｉｇｈ状態の場合には、同期状態として「１」を記憶し、ＳＩＧＯＲがＬｏｗ状態の場合には、同期状態として「０」を記憶する。例えば、図８のＣＬＫ(１)の状態では、同期状態として「１」を記憶する。
【００３５】
ステップＳ７において、制御部１７は、位相カウントｎ＝ｎ＋１とする。制御部１７は、不図示の位相カウンタの位相カウントを１つ増やすとともに、遅延ブロック制御部１５ｃを制御して、クロック信号の位相をずらす。例えば、図８のＣＬＫ(１)の状態でこの処理が行われると、次のクロック信号は、ＣＬＫ(２)となる。
【００３６】
ステップＳ８において、制御部１７は、Ｍ回の取り込みを行ったか否かを判定する。Ｍ回は予め定められた取り込み回数であり、上述した遅延ブロック１８内の遅延部１８ａの個数（Ｎ個）等に応じて定められる（ただし、Ｍ≦Ｎ）。このＭは、クロック信号の２周期に対して、Ｍ≧５、かつ、Ｍは奇数であることが望ましい。制御部１７は、不図示の位相カウンタを参照して、Ｍ回の取り込みを行ったと判定するまで、ＳＩＧＯＲの取り込み、同期状態の記憶（ステップＳ６）および位相カウント（ステップＳ７）を繰り返す。
【００３７】
例えば、図８の例では、クロック信号がＣＬＫ(１)からＣＬＫ(１３)まで変化する間において、ＣＬＫ(１)〜ＣＬＫ(４)では、同期状態は「１」であり、ＣＬＫ(５)〜ＣＬＫ(７)では、同期状態は「０」である。また、ＣＬＫ(８)〜ＣＬＫ(１２)では、同期状態は「１」であり、ＣＬＫ(１３)では、同期状態は「０」である。
【００３８】
ステップＳ９において、制御部１７は、遅延ブロック制御部１５ｃを制御して、クロック信号の位相のずらし量を決定する。ステップＳ９の状態では、位相カウントと同期状態との相関が得られていることになる。そこで、制御部１７は、この相関に基づいて、クロック信号の位相のずらし量を決定する。
【００３９】
例えば、同期状態が「１」となるクロック信号の位相として、ＣＬＫ(８)〜ＣＬＫ(１２)を採用する。そして、ＣＬＫ(８)〜ＣＬＫ(１２)のうち、最適な位相のクロック信号を決定してクロック信号の位相のずらし量を決定する。決定には、以下ａ）〜ｃ）のような方法がある。
【００４０】
ａ）中間点を採用する方法
ＣＬＫ(８)〜ＣＬＫ(１２)の間は５カウントであるため、カウント幅の１／２の位置である３カウント目の位置であるＣＬＫ(１０)を採用する。
【００４１】
ｂ）遅い側の点を採用する方法
ＣＬＫ(８)〜ＣＬＫ(１２)のうち、遅延の多い側のＣＬＫ(１１)またはＣＬＫ(１２)を採用する。
【００４２】
一般に、ディジタルデータの高速転送においては、クロック信号およびデータ信号ともに、図９に示す差動線を用いることが多い。差動線を用いることにより、外部ノイズや、内部でのノイズへの耐性を強化することができるためである。このような差動線は、受信側で矩形波に変換して処理されている。差動線は、図９に示すように、前側にいわゆる「信号のなまり」が多い特性がある。そこで、後ろ側、すなわち、遅延の多い側のクロック信号を採用することにより、この「信号のなまり」に対応することができる。
【００４３】
ｃ）速い側の点を採用する方法
ＣＬＫ(８)〜ＣＬＫ(１２)のうち、遅延の少ない側のＣＬＫ(８)またはＣＬＫ(９)を採用する。この方法により、初期設定値により近いクロック信号を採用可能であるとともに、遅延ブロック１８において、クロック信号が通過する遅延部１８ａの数をより少なくすることができる。
【００４４】
なお、上述したａ）〜ｃ）以外の方法を用いて採用するクロック信号を決定しても良い。また、クロック信号のずれる理由を定性的あるいは定量的に解析可能であれば、解析結果に応じて、上述したａ）〜ｃ）の方法を適宜切り替えて、採用するクロック信号を決定しても良い。
【００４５】
また、採用するクロック信号を決定できなかった場合には、制御部１７は、以下ｄ）またはｅ）の処理を行う。
【００４６】
ｄ）エラーメッセージを出す
制御部１７は、好適なデータ転送が不可能であると判断し、不図示の表示部などを用いてユーザに対して警告を報知する。また、撮影自体を禁止する構成としても良い。
【００４７】
ｅ）初期設定値を採用する。
【００４８】
ステップＳ１０において、制御部１７は、ステップＳ９で決定したクロック信号の位相のずらし量を、遅延ブロック１８に指示して、一連の処理を終了する。なお、制御部１７は、撮像素子１２および信号処理回路１３の両方に適宜テストモードの終了を通知しても良いし、ステップＳ８ＹＥＳの時点で、撮像素子１２および信号処理回路１３は、テストモードの終了を自動で認識する構成としても良い。何れの場合も、テストモードが終了すると、撮像素子１２から信号処理回路１３に転送された画像信号およびクロック信号が、取込部１４に入力されるとともに、撮像素子１２から信号処理回路１３へのテストデータの転送が終了する。
【００４９】
なお、以上説明した一連の処理は、撮影動作の準備に要する期間と比較して、非常に短時間で実行可能である。したがって、図１０に示すように、撮像により生成した画像データの転送に先立って、テストモードを実行し、クロック信号の位相を最適化することができる。そして、最適化した位相のクロック信号を用いて、撮像により生成した画像データの転送を行うことにより、好適なデータ転送を実現することができる。
【００５０】
また、以上説明した一連の処理は、適当な回路を構成することによりハードウェア的に実現しても良いし、ソフトウェア的に実現しても良い。
【００５１】
以上説明したような調整を行うことにより。図１１Ａに示すように、クロック信号の位相を調整して最適化することが可能である。したがって、図１１Ｂに示すように、一部の画像信号（図１１Ｂ：ＤＡＴＡ２）の取り込み自体が不可能となったり、図１１Ｃに示すように、一部の画像信号（図１１Ｃ：ＤＡＴＡ１，ＤＡＴＡ３，ＤＡＴＡ４）の取り込みが不安定になる問題を解決することができる。すなわち、一の実施形態によれば、クロック信号に同期してディジタルのデータ信号を転送する際に、クロック信号の位相を、簡単な構成で、かつ、短時間に調整可能とすることができる。
【００５２】
特に、伝送路の計算等にかかわる手間やコストを省くことができるとともに、温度、湿度、経年、電圧変化等によって変動するクロック信号のずれ量にも柔軟に対応することができる。また、複数の信号線によって画像信号をシリアル方式で転送する場合にも、好適である
＜他の実施形態の説明＞
図１２は、図７のフローチャートの変形例である。図１２に示すように、図７で説明したステップＳ７とステップＳ８との間に、ステップＳ７−２を設けても良い。
【００５３】
すなわち、ステップＳ７−２において、制御部１７は、ＳＩＧＯＲの状態を監視し、ＳＩＧＯＲのＬｏｗ状態からＨｉｇｈ状態への変化、あるいは、ＳＩＧＯＲのＨｉｇｈ状態からＬｏｗ状態へ変化が２回発生した時点で、ステップＳ９に進む。このような構成とすることにより、テストモードの実行に要する時間を短縮することができる。
【００５４】
図１３および図１４は、他の実施形態に係る撮像素子１２および調整処理部１５の構成例を示す模式図である。なお、図１３および図１４に示す他の実施形態は一の実施形態の図４の変形例であって、図４と共通の構成要素については同一符号を付して重複説明を省略する。
【００５５】
図１３の例では、遅延ブロック１８および遅延ブロック制御部１５ｃを、送信側である撮像素子１２内に設けている。そして、取込回路１５ｂから出力されたＳＩＧＯＲを受信側である信号処理回路１３から撮像素子１２にフィードバックすることにより、上述した一の実施形態とほぼ同様の効果を得ることができる。このような構成とすることにより、全体の構成をより簡略化することができる。一方、一の実施形態の構成とすれば、信号処理回路１３から撮像素子１２へのフィードバックの必要がない。
【００５６】
図１４の例では、遅延ブロック１８および遅延ブロック制御部１５ｃを、受信側である信号処理回路１３に加えて、送信側である撮像素子１２内にも設けている。そして、信号処理回路１３において、一の実施形態で説明した一連の処理を行い、求めたクロック信号の位相のずらし量のみを、信号処理回路１３から撮像素子１２にフィードバックすることにより、上述した一の実施形態とほぼ同様の効果を得ることができる。
【００５７】
＜実施形態の補足事項＞
（１）上記の各実施形態では、ユーザにより撮影指示が行われると、クロック信号の位相の調整を行う場合を例に挙げて説明した。しかし、本発明のデータ転送装置は、上記実施形態の例に限定されることなく、例えば、適当な時間間隔（例えば、１分間隔）で繰り返しクロック信号の位相の調整を行う構成としても良い。また、データの転送が長時間化する場合には、途中のタイミングでクロック信号の位相の調整を行う構成としても良い。
【００５８】
（２）上記の各実施形態では、４本の信号線によりシリアル転送を行うデータ転送装置の例を説明した。しかし、本発明のデータ転送装置は、上記実施形態の例に限定されることなく、例えば、１本の信号線によりシリアル転送を行うデータ転送装置や、５本以上の信号線によりシリアル転送を行うデータ転送装置にも当然に適用できる。
【００５９】
（３）上記実施形態では、カメラ内の撮像素子１２と信号処理回路１３とのデータ転送の例を説明したが、本発明のデータ転送装置はカメラ内の他の素子間のデータ転送に適用することもできる。また、本発明のデータ転送装置は、他の電子機器に組み込まれるディジタル処理回路にも適用できる。さらに、本発明のデータ転送装置は、相互に独立した電子デバイス間の有線でのデータ転送にも適用できる。
【００６０】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００６１】
【図１】一の実施形態に係るデータ転送装置の構成例を示す模式図である。
【図２】取込部１４について説明する模式図である。
【図３】遅延ブロック１８について説明する模式図である。
【図４】調整処理部１５について説明する模式図である。
【図５】ＤＡＴＡＯＲについて説明する模式図である。
【図６】ＳＩＧＯＲについて説明する模式図である。
【図７】クロック信号の位相の調整について説明するフローチャートである。
【図８】クロック信号の位相の調整について説明する模式図である。
【図９】差動線について説明する模式図である。
【図１０】クロック信号の位相の調整のタイミングについて説明する模式図である。
【図１１】一の実施形態の効果について説明する模式図である。
【図１２】クロック信号の位相の調整について説明する別のフローチャートである。
【図１３】他の実施形態に係る撮像素子１２および調整処理部１５について説明する模式図である。
【図１４】他の実施形態に係る撮像素子１２および調整処理部１５について説明する模式図である。
【符号の説明】
【００６２】
１２…撮像素子、１３…信号処理回路、１４…取込部、１５…調整処理部、１６…画像処理部、１７…制御部、１８…遅延ブロック
【図１】
2009159252.tif 000003
【図２】
2009159252.tif 000004
【図３】
2009159252.tif 000005
【図４】
2009159252.tif 000006
【図５】
2009159252.tif 000007
【図６】
2009159252.tif 000008
【図７】
2009159252.tif 000009
【図８】
2009159252.tif 000010
【図９】
2009159252.tif 000011
【図１０】
2009159252.tif 000012
【図１１】
2009159252.tif 000013
【図１２】
2009159252.tif 000014
【図１３】
2009159252.tif 000015
【図１４】
2009159252.tif 000016